(57)【要約】【課題】金型の共通化を図ることにより金型製作費用を低く抑えることができる筒状エラストマーの製造方法及び筒状エラストマーを提供すること。【解決手段】蛇腹体１２に大径体１１ｂを射出成形によって接合する際に、ゲート１９から射出材料を射出する時の射出圧によって蛇腹体１２が金型１７ａ，１７ｂ内から飛び出さないように、蛇腹体１２にストッパーとして挟持凸部１３を設ける。【選択図】　　図３
2004136474.tif 000002
【特許請求の範囲】
【請求項１】
エラストマーよりなる第１の筒状部品の軸線方向の端部に対して第２の筒状部品を射出成形により接合するようにした筒状エラストマーの製造方法において、
前記第１の筒状部品として、第２の筒状部品が接合される側の端部に挟持凸部が形成されたものを用い、前記接合に際してその挟持凸部を型内で挟持して第１の筒状部品を保持することを特徴とした筒状エラストマーの製造方法。
【請求項２】
請求項１において、
エラストマーにより前記第２の筒状部品を成形することを特徴とした筒状エラストマーの製造方法。
【請求項３】
請求項１または２において、
前記筒状エラストマーが、第１の筒状部品としての蛇腹体と、第２の筒状部品としての大径体とよりなるグロメットであることを特徴とした筒状エラストマーの製造方法。
【請求項４】
請求項１〜３のいずれかにおいて、
前記挟持凸部が外周に設けられた第１の筒状部品を用いることを特徴とした筒状エラストマーの製造方法。
【請求項５】
請求項４において、
環状壁部が接合側の端部内周に設けられた第１の筒状部品を用いることを特徴とする筒状エラストマーの製造方法。
【請求項６】
請求項１〜３のいずれかにおいて、
前記挟持凸部が内周に設けられた第１の筒状部品を用いることを特徴とした筒状エラストマーの製造方法。
【請求項７】
請求項１〜６のいずれかにおいて、
前記挟持凸部が環状をなすことを特徴とした筒状エラストマーの製造方法。
【請求項８】
請求項１〜７のいずれかに記載の第１の筒状部品及び第２の筒状部品を接合して構成したことを特徴とする筒状エラストマー。
【発明の詳細な説明】
【０００１】
【発明の属する技術分野】
この発明は、例えば、車両用グロメットとなる筒状エラストマーの製造方法及び筒状エラストマーに関するものである。
【０００２】
【従来の技術】
例えば、図１２に示すグロメット１はゴムまたはゴム系材料よりなるエラストマーによって構成されており、筒状の蛇腹体２の両端に大径体３ａ，３ｂが設けられているものである。そして、このグロメット１として、蛇腹体２として長さの異なるものが種々要求されたり、大径体３ａ，３ｂとして形状が異なるものが要求されたりすることが多い。この場合、従来はこのグロメット１全体が一体形成されていたため、各種の要求に応じた形状変更毎に専用の金型を新しく製作していた。
【０００３】
【発明が解決しようとする課題】
このため、従来は、多種類の金型を用意する必要があって、多額の金型費用がかかるものであった。
【０００４】
従って、金型の種類を少なくするために、複数種類の蛇腹体２をあらかじめ用意し、所要の種類の蛇腹体２を選択してその両端に大径体３ａ，３ｂを射出成形により接合することが考えられる。しかしこの場合、大径体３ａ，３ｂの射出圧によって蛇腹体２が後退移動しないように金型に凸部を設け、この凸部によって蛇腹体２を外側から押さえておく必要がある。このため、この蛇腹体２を押えた部分の肉厚が薄くなって、この部分の強度が低下してしまい、最悪の場合、この部分が切れてしまうおそれがあった。
【０００５】
この発明は、このような従来の技術に存在する問題点に着目してなされたものである。その目的は、金型の共通化を図ることにより金型製作費用を低く抑えることができる筒状エラストマーの製造方法及び筒状エラストマーを提供することにある。
【０００６】
【課題を解決するための手段】
上記目的を達成するために、請求項１の発明においては、エラストマーよりなる第１の筒状部品の軸線方向の端部に対して第２の筒状部品を射出成形により接合するようにした筒状エラストマーの製造方法において、前記第１の筒状部品として、第２の筒状部品が接合される側の端部に挟持凸部が形成されたものを用い、前記接合に際してその挟持凸部を型内で挟持して第１の筒状部品を保持することを要旨とするものである。
【０００７】
従って、第１の筒状部品の挟持凸部により、前記第１の筒状部品がその射出成形時に型内に強固に保持されるので、エラストマーの射出圧によって前記第１の筒状部品が前記型内から後退移動したりするのを抑制することができる。
【０００８】
請求項２に記載の発明においては、請求項１において、エラストマーにより前記第２の筒状部品を成形することを要旨とするものである。
従って、請求項１と同様の効果を得ることができる。
【０００９】
請求項３に記載の発明においては、請求項１または２において、前記筒状エラストマーが、第１の筒状部品としての蛇腹体と、第２の筒状部品としての大径体とよりなるグロメットであることを要旨とするものである。
【００１０】
従って、請求項１と同様の効果を得ることができる。
請求項４に記載の発明においては、請求項１〜３のいずれかにおいて、前記挟持凸部が外周に設けられた第１の筒状部品を用いることを要旨とするものである。
【００１１】
従って、請求項１と同様の効果が得られる。
請求項５に記載の発明においては、請求項４において、環状壁部が接合側の端部内周に設けられた第１の筒状部品を用いることを要旨とするものである。
【００１２】
従って、射出圧が高くても、射出された第２の筒状部品のエラストマーが第１の筒状部品の内側に侵入するのを抑制することができる。
請求項６に記載の発明においては、請求項１〜３のいずれかにおいて、前記挟持凸部が内周に設けられた第１の筒状部品を用いることを要旨とするものである。
【００１３】
従って、請求項１の効果に加えて、請求項５と同様の効果が得られる。
請求項７に記載の発明においては、請求項１〜６のいずれかにおいて、前記挟持凸部が環状をなすことを要旨とするものである。
【００１４】
従って、請求項１と同様の効果が得られるとともに、第２の筒状部品の射出圧が高くてもエラストマーが挟持凸部でブロックされる。
請求項８に記載の発明においては、請求項１〜７のいずれかに記載の第１の筒状部品及び第２の筒状部品を接合して構成したことを要旨とするものである。
【００１５】
従って、請求項１と同様の効果が得られる。
【００１６】
【発明の実施の形態】
（第１実施形態）
以下、本発明を具体化した第１実施形態を図１〜図４に基づいて説明する。
【００１７】
はじめに、この第１実施形態のグロメット１０の構成について説明する。
図１に示すように、この第１実施形態の筒状エラストマーとしてのグロメット１０は全体がエラストマーからなり、第１の筒状部品としての蛇腹体１２と第２の筒状部品としての大径体１１ａ，１１ｂとを備えている。蛇腹体１２は、その両端部を除いた部分において蛇腹形状部１５を有しており、両端の内周面には、蛇腹体１２の軸線を中心とした環状壁部１４を備えている。さらに蛇腹体１２は、蛇腹形状部１５と環状壁部１４との間における外周面に、断面がほぼ台形で蛇腹体１２の軸線を中心とした環状の挟持凸部１３を備えている。大径体１１ａ，１１ｂは、蛇腹体１２の軸線方向の両端に接合される。
【００１８】
次に、グロメット１０を成形するための型としての金型１７ａ，１７ｂ及び中子１８の構成について説明する。
図２及び図３に示すように、金型１７ａ，１７ｂは、固定側の金型１７ｂと可動側の金型１７ａとを備えており、これらの金型１７ａ，１７ｂは可動側の金型１７ａを移動させることによって開閉される。そして、中子１８と金型１７ａ，１７ｂとの間に、所定形状のキャビティ２４が形成される。
【００１９】
金型１７ａ，１７ｂは、前記挟持凸部１３に対応するように断面がほぼ台形の環状凹部２０を備えており、固定側の金型１７ｂには、射出材料を注入するためのゲート１９が設けられている。中子１８は、蛇腹体１２を内側から保持する機能を有し、その外周面には前記環状壁部１４に対応する環状溝２１が形成されている。また、図４に示すように、前記環状凹部２０の深さａは、前記挟持凸部１３の高さｂよりも浅く、環状凹部２０の幅ｃは、挟持凸部１３の幅ｄと同一またはそれより広く形成されている。なお、図面においては、一方の大径体１１ｂの金型１７ａ，１７ｂ及び中子１８のみが図示されているが、他方の大径体１１ａの金型及び中子は、図面の金型１７ａ，１７ｂ及び中子１８に対して対称状にセットされる。
【００２０】
さて、図２に示すように、蛇腹体１２の環状壁部１４が中子１８の環状溝２１内に嵌合するように蛇腹体１２を中子１８の外周に嵌めこむ。この状態のまま、これらの組を蛇腹体１２の挟持凸部１３と金型１７ａ，１７ｂの環状凹部２０とが対応するように、固定側の金型１７ｂの上に載置する。このとき、挟持凸部１３と環状凹部２０とは、蛇腹体１２の位置決め手段として機能している。そして、可動側の金型１７ａを移動させることによって、金型１７ａ，１７ｂを閉じる。
【００２１】
その後、図３に示すように、ゲート１９から射出材料としてのエラストマーを射出し、前記キャビティ２４がエラストマーで満たされることによって、蛇腹体１２の両端に所定形状の大径体１１ａ，１１ｂが接合される。このとき、蛇腹体１２の環状壁部１４と、中子１８の環状溝２１とが嵌合されているため、エラストマーの射出圧が高くても、中子１８と蛇腹体１２との間からエラストマーが蛇腹体１２の内側に侵入するのがブロックされる。
【００２２】
加えて、図４に示すように、前記環状凹部２０の深さａは、前記挟持凸部１３の高さｂよりも浅く、しかも環状凹部２０の幅ｃは、挟持凸部１３の幅ｄと同一またはそれより広く形成されている。このため、前記金型１７ａ，１７ｂを閉じたときに挟持凸部１３が変形を許容されながら金型１７ａ，１７ｂと中子１８とによって挟持される。この結果、前記エラストマーをゲート１９の射出圧が大きくても、前記蛇腹体１２が後退移動することを抑制することができる。
【００２３】
なお、図４に示すように、前記挟持凸部１３の高さｂと前記金型１７ａ，１７ｂの環状凹部２０の深さａとの関係は、次式が成り立つように構成されていることが好ましい。
【００２４】
式：２ａ≧ｂ≧１．４ａ
加えて、前記挟持凸部１３の体積と前記環状凹部２０の容積とがほぼ同一、あるいは前記環状凹部２０の容積が挟持凸部１３の体積よりわずかに小さくなることが好ましい。
【００２５】
以上詳述した第１実施形態によれば次のような効果が発揮される。
・　前記金型１７ａ，１７ｂを閉じたときに、挟持凸部１３が金型１７ａ，１７ｂと中子１８との間に強く挟まれるため、前記エラストマーの射出圧が高くても、蛇腹体１２が後退方向に移動するのを抑制することができる。この結果、蛇腹体１２を押さえる必要がなくなるので、蛇腹体１２に肉厚が薄くなる部分が形成されることがない。従って、グロメット１０が薄くなった部分から切れたりしてしまうのを防ぐことができる。また、挟持凸部１３は、大径体１１ａ，１１ｂ側のエラストマーが蛇腹形状部１５側へ移動するのをブロックするため、蛇腹形状部１５の機能が損なわれることがない。
【００２６】
・　蛇腹体１２の挟持凸部１３と前記環状凹部２０とを対応させて嵌合させることができるので、蛇腹体１２を固定側の金型１７ｂ上に載置する時に、その位置決めをすることができる。
【００２７】
・　蛇腹体１２の環状壁部１４と、中子１８の環状溝２１とが嵌合されているため、前記エラストマーの射出圧によって、エラストマーが中子１８と蛇腹体１２との間から蛇腹体１２の内側に侵入するのを抑制することができる。従って、蛇腹体１２の内側に不要な肉厚部ができたり、エラストマーの侵入が蛇腹形状部１５まで及んで蛇腹形状部１５の機能が損なわれたりするのを抑制することができる。
【００２８】
（第２実施形態）
この第２実施形態は、構成及び作用効果が前記第１実施形態と略同じであるので、前記第１実施形態と異なる点を中心に、図６〜図８に基づいて説明する。
【００２９】
はじめに、この第２実施形態のグロメット３０の構成について説明する。
図６に示すように、この第２実施形態のグロメット３０における第１の筒状部品としての蛇腹体３１の両端の内周面には、断面がほぼ台形で蛇腹体３１の軸線を中心とした環状の挟持凸部３２が形成されている。前記第１実施形態における挟持凸部１３は形成されていない。
【００３０】
図７及び図８に示すように、中子３５には、その外周面に前記挟持凸部３２に対応するように環状溝３６が形成されている。この場合、前記環状溝３６の深さ及び幅と前記挟持凸部３２の高さ及び幅との寸法関係については、前記第１実施形態における前記環状凹部２０の深さａ及び幅ｃと前記挟持凸部１３の高さｂ及び幅ｄとの寸法関係と同様になっている。
【００３１】
さて、図７に示すように、蛇腹体３１の挟持凸部３２と、中子３５の環状溝３６とが嵌合するように蛇腹体３１を中子３５に取り付けて、金型３３ａ，３３ｂを閉じる。その後、図８に示すように、ゲート３４からエラストマーを射出し、前記キャビティ２４がエラストマーで満たされることによって、蛇腹体３１に所定形状の第２の筒状部品としての大径体１１ａ，１１ｂが接合される。このとき、蛇腹体３１の挟持凸部３２が、中子３５の環状溝３６内に嵌合して、その挟持凸部３２が金型３３ａ，３３ｂと中子３５との間で挟持されている。従って、蛇腹体３１が後退移動するのを阻止できるとともに、エラストマーが中子３５と蛇腹体３１との間から蛇腹体３１の内側に侵入するのを抑制することができる。
【００３２】
以上詳述した第２実施形態によれば次のような効果が発揮される。
・　蛇腹体３１の両端部の内周面に挟持凸部３２が形成されている。このため、挟持凸部３２と環状溝３６とによって、エラストマーが蛇腹体３１の内側に侵入するのを抑制する効果と、蛇腹体３１が後退移動するのを抑制する効果との２つの効果を同時に得ることができる。従って、環状凹部を金型３３ａ，３３ｂに設ける必要がなく、金型の加工費用を低く抑えることができる。
【００３３】
・　グロメット３０の外面に挟持凸部３２が現出することがなく、グロメット３０の外観を向上できる。
（第３実施形態）
この第３実施形態は、大径体１１ａ，１１ｂが第１の筒状部品となり、その大径体１１ａ，１１ｂに対して第２の筒状部品を構成する前記蛇腹体１２を射出成形によって接合したものであり、前記第１実施形態と異なる点を中心に、図９〜図１１に基づいて説明する。
【００３４】
はじめに、この第３実施形態のグロメット４０の構成について説明する。
図９及び図１０に示すように、この第３実施形態の大径体４２ａ，４２ｂの一端部の内周面には、大径体４２ａ，４２ｂの軸線を中心とした環状壁部４４が形成されている。さらに、大径体４２ａ，４２ｂは、前記環状壁部４４に隣接する外周面に、大径体４２ａ，４２ｂの軸線を中心とした環状の挟持凸部４３を備えている。この場合、蛇腹体４１の両端には、挟持凸部１３及び環状壁部１４は形成されていない。
【００３５】
環状凹部５１の深さ及び幅と、前記挟持凸部４３の高さ及び幅との関係は第１実施形態と同様である。さらに、大径体４２ａ，４２ｂは、その内部に大径体４２ａ，４２ｂの形状を保持するための形状保持部材４８が挿入される。蛇腹体４１を射出成形するためのキャビティ５２は、金型４５ａ，４５ｂと中子４７との間に形成される。
【００３６】
さて、図１０に示すように、前記形状保持部材４８が挿入された大径体４２ａ，４２ｂの環状壁部４４と、中子４７の環状溝５０とが嵌合するように大径体４２ａ，４２ｂを中子４７に嵌めこむ。この状態のまま、これらを大径体４２ａ，４２ｂの挟持凸部４３と金型４５ａ，４５ｂの環状凹部５１とが嵌合するように、金型４５ａ，４５ｂを閉じる。
【００３７】
その後、図１１に示すように、ゲート４６から射出材料としてのエラストマーを射出し、前記キャビティ５２がエラストマーで満たされることによって、大径体４２ａ，４２ｂ間、即ち、大径体４２ａ，４２ｂの軸線方向の端部に所定形状の蛇腹体４１が接合される。このとき、大径体４２ａ，４２ｂの環状壁部４４と、中子４７の環状溝５０とが嵌合されているため、前記エラストマーの射出圧が高くても、エラストマーが中子４７と大径体４２ａ，４２ｂとの間から大径体４２ａ，４２ｂの内側に侵入するのがブロックされる。
【００３８】
加えて、図４に示すように、挟持凸部４３が金型４５ａ，４５ｂと中子４７との間に挟持される。このため、前記金型４５ａ，４５ｂ内から前記大径体４２ａ，４２ｂが外方に後退するのを抑制することができる。
【００３９】
以上詳述した第３実施形態によっても、前記第１実施形態と同様の効果が発揮される。
（変形例）
なお、前記実施形態を次のように変更して構成することもできる。
【００４０】
・　前記第１及び第３実施形態において、前記挟持凸部１３，４３及び前記環状凹部２０，５１をそれぞれ環状にすることなく、環状領域の複数箇所に配置された凸部と凹部により構成すること。
【００４１】
・　図５に示すように、前記第１実施形態において、前記挟持凸部１３を蛇腹体１２の両端縁に設けること。
【００４２】
【発明の効果】
以上、詳述したように本発明は金型の共通化を図ることにより金型製作費用を低く抑えることができる筒状エラストマーの製造方法及び筒状エラストマーを提供できるという効果がある。
【図面の簡単な説明】
【図１】第１実施形態のグロメットを表す説明図
【図２】第１実施形態において、金型を開いた時の金型と蛇腹体との関係を表す説明図
【図３】第１実施形態において、金型を閉じた時の金型と蛇腹体との関係を表す説明図
【図４】第１及び第３実施形態において、挟持凸部と金型の環状凹部との高さ関係を表す説明図
【図５】実施形態の変形例を表す説明図
【図６】第２実施形態のグロメットを表す説明図
【図７】第２実施形態において、金型を開いた時の金型と蛇腹体との関係を表す説明図
【図８】第２実施形態において、金型を閉じた時の金型と蛇腹体との関係を表す説明図
【図９】第３実施形態のグロメットを表す説明図
【図１０】第３実施形態において、金型を開いた時の金型と大径体との関係を表す説明図
【図１１】第３実施形態において、金型を閉じた時の金型と大径体との関係を表す説明図
【図１２】従来の製造方法で製造したグロメットの正面図
【符号の説明】
１０，３０，４０…グロメット、１１ａ，１１ｂ，４２ａ，４２ｂ…大径体、１２，３１，４１…蛇腹体、１３，３２，４３…挟持凸部、１４，４４…環状壁部、１５…蛇腹形状部、１７ａ，１７ｂ，３３ａ，３３ｂ，４５ａ，４５ｂ…型としての金型、１８，３５，４７…中子、１９，３４，４６…ゲート、２０，５１…環状凹部、２１，３６，５０…環状溝、２４，５２…キャビティ、ａ…深さ、ｂ…高さ
【図１】
2004136474.tif 000003
【図２】
2004136474.tif 000004
【図３】
2004136474.tif 000005
【図４】
2004136474.tif 000006
【図５】
2004136474.tif 000007
【図６】
2004136474.tif 000008
【図７】
2004136474.tif 000009
【図８】
2004136474.tif 000010
【図９】
2004136474.tif 000011
【図１０】
2004136474.tif 000012
【図１１】
2004136474.tif 000013
【図１２】
2004136474.tif 000014